(57)【要約】      （修正有）【課題】操作ノブを軽い良好な操作性をもって操作することができるとともに、上側板状部や下側板状部に対して足部が当接することに起因して異音が発生することを確実に防止することができるレジスタを提供する。【解決手段】操作ノブ１０の後端部に回動可能に取り付けられ、操作ノブ１０の後端部から特定垂直フィン６側に向かって延出されるとともに軸部１４が挿嵌される二股状足部材１７と、二股状足部材の先端にそれぞれに設けられる軟質部材とを備え、二股状足部材１７は、操作ノブ１０の上下方向への回動操作時に、軟質部材を介して切欠部１１の上側板状部１２又は下側板状部１３に当接されるように構成する。【選択図】図１４
0003200300.tif 000002
【実用新案登録請求の範囲】
【請求項１】
リテーナと、リテーナの前部にて上下方向に回動可能に支持された複数の水平フィンと、各水平フィンの上流側でリテーナにて左右方向に回動可能に支持された複数の垂直フィンと、複数の水平フィンの内の特定水平フィンにスライド可能に取り付けられるとともに複数の垂直フィンの内の特定垂直フィンに駆動連結される操作ノブとを備え、
前記操作ノブを上下方向に回動操作して特定水平フィンを含む全ての水平フィンを上下方向に回動させ、リテーナの前部から吹き出される空気の吹出方向を上下方向に調整するとともに、操作ノブを左右方向にスライド操作して特定垂直フィンを含む全ての垂直フィンを左右方向に回動させ、リテーナの前部から吹き出される空気の吹出方向を左右方向に調整するレジスタにおいて、
前記特定垂直フィンに形成された切欠部と、
前記切欠部の上部に形成された上側板状部及び切欠部の下部に形成された下側板状部と、
前記切欠部の操作ノブ側で上部と下部とを連結する軸部と、
前記操作ノブの後端部に回動可能に取り付けられ、操作ノブの後端部から特定垂直フィン側に向かって延出されるとともに前記軸部が挿嵌される二股状の足部材と、
前記二股状の足部材における各足部の先端に設けられる軟質部材とを備え、
前記二股状の足部材における各足部は、前記操作ノブの上下方向への回動操作時に、前記軟質部材を介して前記上側板状部又は下側板状部に当接されることを特徴とするレジスタ。
【請求項２】
前記軟質部材はキャップ状に形成されており、前記二股状の足部材における各足部の先端に装着されることを特徴とする請求項１に記載のレジスタ。
【請求項３】
前記軟質部材には、前記操作ノブの上下方向への回動操作時に、前記上側板状部又は下側板状部に当接される半球状部が形成されていることを特徴とする請求項２に記載のレジスタ。
【請求項４】
リテーナと、リテーナの前部にて上下方向に回動可能に支持された複数の水平フィンと、各水平フィンの上流側でリテーナにて左右方向に回動可能に支持された複数の垂直フィンと、複数の水平フィンの内の特定水平フィンにスライド可能に取り付けられるとともに複数の垂直フィンの内の特定垂直フィンに駆動連結される操作ノブとを備え、
前記操作ノブを上下方向に回動操作して特定水平フィンを含む全ての水平フィンを上下方向に回動させ、リテーナの前部から吹き出される空気の吹出方向を上下方向に調整するとともに、操作ノブを左右方向にスライド操作して特定垂直フィンを含む全ての垂直フィンを左右方向に回動させ、リテーナの前部から吹き出される空気の吹出方向を左右方向に調整するレジスタにおいて、
前記特定垂直フィンに形成された切欠部と、
前記切欠部の上部に形成された上側板状部及び切欠部の下部に形成された下側板状部と、
前記切欠部の操作ノブ側で上部と下部とを連結する軸部と、
前記操作ノブの後端部に回動可能に取り付けられ、操作ノブの後端部から特定垂直フィン側に向かって延出されるとともに前記軸部が挿嵌される二股状の足部材と、
前記二股状の足部材における各足部の端部に形成された接続端部と、
前記各接続端部に挿嵌接続されるとともに軟質材料から形成され、先端に球状部が設けられた接続部材とを備え、
前記接続部材は、前記操作ノブの上下方向への回動操作時に、前記球状部を介して前記上側板状部又は下側板状部に当接されることを特徴とするレジスタ。
【請求項５】
前記軟質部材は、前記二股状の足部材を硬質樹脂で一次成形した後、各足部の先端に軟質樹脂で二次形成する二色成形により設けられることを特徴とする請求項１乃至請求項３のいずれかに記載のレジスタ。
【請求項６】
前記接続部材は、前記二股状の足部材を各足部の接続端部と共に硬質樹脂で一次成形した後、接続端部に対して軟質樹脂で二次形成する二色成形により設けられることを特徴とする請求項４に記載のレジスタ。
【考案の詳細な説明】
【技術分野】
【０００１】
本考案は、自動車の車室内の換気や空調の空気吹出部に使用されるレジスタに関するものである。
【背景技術】
【０００２】
従来、レジスタは、例えば、自動車のインストルメントパネル等に配設され、例えば空調装置で調節された調和空気を車室内に吹き出す空気吹出部に使用されている。かかるレジスタは、略矩形筒状のリテーナ内部に左右方向へ平行に延び、上下方向へ回動可能に配設された複数の水平フィンと、水平フィンの後方において、上下方向へ平行に延び、左右方向へ回動可能に配設された複数の垂直フィンと、複数の水平フィンの１つに左右方向にスライド移動可能に装着されるとともに複数の垂直フィンの１つに駆動連結された操作ノブと、を有している。
【０００３】
そして、前記レジスタにおいては、使用者が操作ノブを用いて一の水平フィンを上下方向に回動させることによって、複数の水平フィンにおける上下方向の回動量を調整可能に構成されている。又、使用者が一の水平フィンに沿って左右方向にスライド移動させることによって、後方に位置する複数の垂直フィンにおける左右方向の回動量を調整可能に構成されている。かかるレジスタによれば、複数の水平フィン及び複数の垂直フィンの回動量を調整することによって、空気の吹出方向を上下左右に調整することができる。
【０００４】
このようなレジスタにおける操作ノブとして、二股状に形成されたアーム部材が操作ノブの後方部分に上下方向に回動可能に支持されているものが存在している。この場合、アーム部材は、一の垂直フィンに形成された切欠部の周縁部における上側部分と下側部分とを接続する連結シャフトを挟むように配設されており、操作ノブのスライド移動に伴う力を、連結シャフトを介して、垂直フィンに伝達している。
【０００５】
この構成の場合、使用者が操作ノブを用いて水平フィンを上下方向に回動させると、アーム部材は、操作ノブに対して上下方向に回動し、垂直フィンの切欠部内を移動する。この時、アーム部材の先端が切欠部周縁部における上側及び下側に形成された張出部に対して接触してしまい、異音が発生してしまう場合があった。
【０００６】
この問題点を解消すべくなされた考案として、特許文献１及び特許文献２記載の考案が知られている。特許文献１及び特許文献２記載のレジスタは、複数の前ブレードと、複数の後ブレードを有しており、一の前ブレードにスライド移動可能に配設された操作ノブを用いて、空気の吹出方向を上下左右に調整可能に構成されている。そして、特許文献１及び特許文献２記載のレジスタにおいて、一の後ブレードには、前方に開口する切欠部が形成されており、当該切欠部の周縁部には、互いに上下方向に対向する一対の張出部が形成されている。又、連結シャフトが、当該切欠部の周縁部における上側部分と下側部分とを接続している。そして、特許文献１及び特許文献２において、操作ノブの後部には、アーム部材が上下方向に回動可能に配設されている。当該アーム部材は、連結シャフトを左右両側から挟む二股状の湾曲アームと、各湾曲アームの後端に設けられた円板状の当接部を有している。特許文献１及び特許文献２記載のレジスタにおいては、切欠部の上縁及び下縁に形成された両張出部に対して、アーム部材の湾曲アーム後端に形成された円板状の当接部の側面を、常時圧接する若しくは常時弾性的に圧接することによって、異音の発生を防止している。
【先行技術文献】
【特許文献】
【０００７】
【特許文献１】特開２０１２−１７１６０４号公報
【特許文献２】特開２０１３−１５４７６９号公報
【考案の概要】
【考案が解決しようとする課題】
【０００８】
ここで、特許文献１及び特許文献２記載のレジスタのように、アーム部材の湾曲アーム後端に形成された円板状の当接部が、切欠部の上下に位置する張出部に対して常時接触している為、操作ノブを用いて前ブレードを回動させた場合であっても、切欠部内においてアーム部材が張出部に対して衝突するように移動することはない。即ち、特許文献１及び特許文献２におけるレジスタによれば、異音の発生は防止することができる。
【０００９】
しかしながら、特許文献１及び特許文献２におけるレジスタ円板状の当接部が常に張出部に対して圧接若しくは弾性的に圧接されている為、操作ノブを用いて前ブレードを回動させる過程で、当接部と張出部の間に摩擦力が生じる。圧接若しくは弾性的に圧接されているのであるから、この摩擦力は、必然的に大きなものとなってしまい、使用者が操作ノブを用いて前ブレードを回動させる際に大きな負荷となる。即ち、特許文献１及び特許文献２記載のレジスタは、異音の発生を防止する一方で、操作ノブを用いて前ブレードを回動させる際の操作性を大きく損なってしまっていた。
【００１０】
本考案は、上述した問題点を解決するためになされたものであり、水平フィンに取り付けられた操作ノブを上下方向に操作する際に、操作ノブの後端部に対して回動可能に取り付けられた足部材が垂直フィンに形成された切欠部の上側板状部又は下側板状部に当接される場合においても、操作ノブを軽い良好な操作性をもって操作することができるとともに、上側板状部や下側板状部に対して足部が当接することに起因して異音が発生することを確実に防止することができるレジスタを提供することを目的とする。
【課題を解決するための手段】
【００１１】
前記目的を達成するため、請求項１に係るレジスタは、リテーナと、リテーナの前部にて上下方向に回動可能に支持された複数の水平フィンと、各水平フィンの上流側でリテーナにて左右方向に回動可能に支持された複数の垂直フィンと、複数の水平フィンの内の特定水平フィンにスライド可能に取り付けられるとともに複数の垂直フィンの内の特定垂直フィンに駆動連結される操作ノブとを備え、前記操作ノブを上下方向に回動操作して特定水平フィンを含む全ての水平フィンを上下方向に回動させ、リテーナの前部から吹き出される空気の吹出方向を上下方向に調整するとともに、操作ノブを左右方向にスライド操作して特定垂直フィンを含む全ての垂直フィンを左右方向に回動させ、リテーナの前部から吹き出される空気の吹出方向を左右方向に調整するレジスタにおいて、前記特定垂直フィンに形成された切欠部と、前記切欠部の上部に形成された上側板状部及び切欠部の下部に形成された下側板状部と、前記切欠部の操作ノブ側で上部と下部とを連結する軸部と、前記操作ノブの後端部に回動可能に取り付けられ、操作ノブの後端部から特定垂直フィン側に向かって延出されるとともに前記軸部が挿嵌される二股状の足部材と、前記二股状の足部材における各足部の先端に設けられる軟質部材とを備え、前記二股状の足部材における各足部は、前記操作ノブの上下方向への回動操作時に、前記軟質部材を介して前記上側板状部又は下側板状部に当接されることを特徴とする。
【００１２】
請求項２に係るレジスタは、請求項１に記載のレジスタにおいて、前記軟質部材はキャップ状に形成されており、前記二股状の足部材におけ各足部の先端に装着されることを特徴とする。
【００１３】
請求項３に係るレジスタは、請求項２に記載のレジスタにおいて、前記軟質部材には、前記操作ノブの上下方向への回動操作時に、前記上側板状部又は下側板状部に当接される半球状部が形成されていることを特徴とする請求項２に記載のレジスタ。
【００１４】
請求項４に係るレジスタは、リテーナと、リテーナの前部にて上下方向に回動可能に支持された複数の水平フィンと、各水平フィンの上流側でリテーナにて左右方向に回動可能に支持された複数の垂直フィンと、複数の水平フィンの内の特定水平フィンにスライド可能に取り付けられるとともに複数の垂直フィンの内の特定垂直フィンに駆動連結される操作ノブとを備え、前記操作ノブを上下方向に回動操作して特定水平フィンを含む全ての水平フィンを上下方向に回動させ、リテーナの前部から吹き出される空気の吹出方向を上下方向に調整するとともに、操作ノブを左右方向にスライド操作して特定垂直フィンを含む全ての垂直フィンを左右方向に回動させ、リテーナの前部から吹き出される空気の吹出方向を左右方向に調整するレジスタにおいて、前記特定垂直フィンに形成された切欠部と、前記切欠部の上部に形成された上側板状部及び切欠部の下部に形成された下側板状部と、前記切欠部の操作ノブ側で上部と下部とを連結する軸部と、前記操作ノブの後端部に回動可能に取り付けられ、操作ノブの後端部から特定垂直フィン側に向かって延出されるとともに前記軸部が挿嵌される二股状の足部材と、前記二股状の足部材における各足部の端部に形成された接続端部と、前記各接続端部に挿嵌接続されるとともに軟質材料から形成され、先端に球状部が設けられた接続部材とを備え、前記接続部材は、前記操作ノブの上下方向への回動操作時に、前記球状部を介して前記上側板状部又は下側板状部に当接されることを特徴とする。
【００１５】
請求項５に係るレジスタは、請求項１乃至請求項３のいずれかに記載のレジスタにおいて、前記軟質部材は、前記二股状の足部材を硬質樹脂で一次成形した後、各足部の先端に軟質樹脂で二次形成する二色成形により設けられることを特徴とする。
【００１６】
請求項６に係るレジスタは、請求項４に記載のレジスタにおいて、前記接続部材は、前記二股状の足部材を各足部の接続端部と共に硬質樹脂で一次成形した後、接続端部に対して軟質樹脂で二次形成する二色成形により設けられることを特徴とする。
【考案の効果】
【００１７】
請求項１に係るレジスタでは、操作ノブの後端部に回動可能に取り付けられ、操作ノブの後端部から特定垂直フィン側に向かって延出されるとともに軸部が挿嵌される二股状の足部材と、二股状の足部材における各足部の先端に設けられる軟質部材とを備え、二股状の足部材は、操作ノブの上下方向への回動操作時に、軟質部材を介して上側板状部又は下側板状部に当接されるように構成しているものの、水平フィンに取り付けられた操作ノブを上下方向に操作する際に、操作ノブの後端部に対して回動可能に取り付けられた足部材における各足部が垂直フィンに形成された切欠部の上側板状部又は下側板状部に当接される場合においても、各足部は常時上側板状部又は下側板状部に当接されておらず、従って、足部と上側板状部又は下側板状部との間で摩擦力が発生することはないので、操作ノブを軽い良好な操作性をもって操作することができる。
また、二股状の足部材における各足部の先端には、軟質部材が設けられており、これにより、軟質部材の消音効果に基づき、上側板状部や下側板状部に対して足部が当接することに起因して異音が発生することを確実に防止することができる。
【００１８】
請求項２に係るレジスタでは、軟質部材はキャップ状に形成されており、二股状の足部材における各足部の先端に装着されているので、キャップ状の軟質部材を二股状の足部材における各足部の先端に装着するだけの簡単な作業により、上側板状部や下側板状部に対して足部が当接することに起因して異音が発生することを確実に防止することができる。
【００１９】
請求項３に係るレジスタでは、軟質部材には、操作ノブの上下方向への回動操作時に、上側板状部又は下側板状部に当接される半球状部が形成されているので、二股状の足部材における各足部が上側板状部や下側板状部に対して当接する際には、軟質部材の半球状部を介して当接することとなり、このとき、半球状部は消音効果を発現することから、更に異音が発生することを確実に防止することができる。
【００２０】
請求項４に係るレジスタでは、操作ノブの後端部に回動可能に取り付けられ、操作ノブの後端部から特定垂直フィン側に向かって延出されるとともに軸部が挿嵌される二股状の足部材と、二股状の足部材における各足部の端部に形成された接続端部と、各接続端部に挿嵌接続されるとともに軟質材料から形成され、先端に球状部が設けられた接続部材とを備え、接続部材は、操作ノブの上下方向への回動操作時に、球状部を介して上側板状部又は下側板状部に当接されるように構成しているものの、水平フィンに取り付けられた操作ノブを上下方向に操作する際に、操作ノブの後端部に対して回動可能に取り付けられた二股状の足部材における各足部が垂直フィンに形成された切欠部の上側板状部又は下側板状部に当接される場合においても、各足部は常時上側板状部又は下側板状部に当接されておらず、従って、足部と上側板状部又は下側板状部との間で摩擦力が発生することはないので、操作ノブを軽い良好な操作性をもって操作することができる。
また、二股状の足部材における各足部の端部に接続端部を形成するとともに、各接続端部に挿嵌接続されるとともに軟質材料から形成され、先端に球状部が設けられた接続部材とを備え、接続部材は、操作ノブの上下方向への回動操作時に、球状部を介して上側板状部又は下側板状部に当接されるので、球状部の消音効果に基づき、上側板状部や下側板状部に対して足部材の接続部材が当接することに起因して異音が発生することを確実に防止することができる。
【００２１】
請求項５に係るレジスタでは、軟質部材は、二股状の足部材を硬質樹脂で一次成形した後、各足部の先端に軟質樹脂で二次形成する二色成形により設けられので、軟質部材を二股状の足部材における各足部の先端に装着する等の作業は不要となり、これによりレジスタの製造コストを低減することができる。
【００２２】
請求項６に係るレジスタでは、接続部材は、二股状の足部材を接続端部と共に硬質樹脂で一次成形した後、接続端部に対して軟質樹脂で二次形成する二色成形により設けられので、接続部材を接続端部に接続組立する等の作業は不要となり、これによりレジスタの製造コストを低減することができる。
【図面の簡単な説明】
【００２３】
【図１】第１実施形態に係るレジスタの正面図である。
【図２】レジスタの正面斜視図である。
【図３】レジスタの背面斜視図である。
【図４】レジスタの模式平断面図である。
【図５】操作ノブを取り付けた水平フィンの平面図である。
【図６】操作ノブを取り付けた水平フィンの背面斜視図である。
【図７】操作ノブを取り付けた水平フィンの正面図である。
【図８】二股状足部材における各足部の先端にキャップ部材を装着した二股状足部材の斜視図である。
【図９】二股状足部材における各足部の先端にキャップ部材を装着した二股状足部材の平面図である。
【図１０】二股状足部材における各足部の先端からキャップ部材を取り外した二股状足部材の斜視図である。
【図１１】二股状足部材における各足部の先端からキャップ部材を取り外した二股状足部材の平面図である。
【図１２】キャップ部材の斜視図であり、図１２（Ａ）はキャップ部材の先端側斜視図、図１２（Ｂ）はキャップ部材の背面側斜視図である。
【図１３】操作ノブを水平に保持した状態を示すレジスタの模式断面図である。
【図１４】操作ノブを下側に回動させた状態を示すレジスタの模式断面図である。
【図１５】操作ノブを上側に回動させた状態を示すレジスタの模式断面図である。
【図１６】第２実施形態に係るレジスタで使用される操作ノブを取り付けた水平フィンの平面図である。
【図１７】第２実施形態に係るレジスタで使用される操作ノブを取り付けた水平フィンの背面斜視図である。
【図１８】第２実施形態に係るレジスタで使用される操作ノブを取り付けた水平フィンの正面図である。
【図１９】第２実施形態に係るレジスタにおいて、二股状足部材における各足部の先端にキャップ部材を装着した二股状足部材の斜視図である。
【図２０】第２実施形態に係るレジスタにおいて、二股状足部材における各足部の先端にキャップ部材を装着した二股状足部材の平面図である。
【図２１】第２実施形態に係るレジスタにおいて、二股状足部材のにおける各足部の先端からキャップ部材を取り外した二股状足部材の斜視図である。
【図２２】第２実施形態に係るレジスタにおいて、二股状足部材における各足部の先端からキャップ部材を取り外した二股状足部材の平面図である。
【図２３】第２実施形態に係るレジスタの二股状足部材における各足部の先端に装着されるキャップ部材の斜視図であり、図２３（Ａ）はキャップ部材の先端側斜視図、図２３（Ｂ）はキャップ部材の背面側斜視図である。
【図２４】第３実施形態に係るレジスタで使用される操作ノブを取り付けた水平フィンの平面図である。
【図２５】第３実施形態に係るレジスタで使用される操作ノブを取り付けた水平フィンの背面斜視図である。
【図２６】第３実施形態に係るレジスタで使用される操作ノブを取り付けた水平フィンの正面図である。
【図２７】第３実施形態に係るレジスタにおいて、二股状足部材における各足部の接続端部に接続部材を装着した二股状足部材の斜視図である。
【図２８】第３実施形態に係るレジスタにおいて、二股状足部材における各足部の接続端部に接続部材を装着した二股状足部材の平面図である。
【図２９】第３実施形態に係るレジスタにおいて、二股状足部材における各足部の接続端部から接続部材を取り外した二股状足部材の斜視図である。
【図３０】第３実施形態に係るレジスタにおいて、二股状足部材における各足部の接続端部から接続部材を取り外した二股状足部材の平面図である。
【図３１】第３実施形態に係るレジスタの二股状足部材における各足部の接続端部に装着される接続部材の斜視図であり、図３１（Ａ）は接続部材の背面斜視図、図３１（Ｂ）は接続部材の正面斜視図である。
【考案を実施するための最良の形態】
【００２４】
以下、本考案に係るレジスタについて、本考案を具体化した実施形態に基づき図面を参照しつつ説明する。先ず、第１実施形態に係るレジスタ１の基本構成について、図１乃至図４に基づき説明する。
【００２５】
レジスタ１は、基本的に、略長方形の断面形状を有する筒状のリテーナ２、及び、リテーナ２の前端に取り付けられるベゼル３とを有している。リテーナ２は空調された空気をベゼル３側に向かって案内するものであり、このように案内された空気は、後述するように、各垂直フィン６及び各水平フィン５により風向が変化された後、ベゼル３に形成された吹出開口３Ａからレジスタ１の外部に吹出される。
尚、図１、図２に示すように、ベゼル３の左側部には回転ノブ３Ｂが配設されているが、かかる回転ノブ３Ｂは、図３に示すように、リンク機構３Ｃを介してリテーナ２中で左右両側壁間で回動可能に配置されたダンパプレート３Ｄを回動させ、ダンパプレート３Ｄを介してリテーナ２の通路を開閉するものである。かかるダンパ機構は公知であり、ここでは詳細な説明を省略する。
【００２６】
リテーナ２前部における両側壁４（図２に一方のみを示す）間には、上下方向に回動可能に支持された複数個（図１、図２では３個）の水平フィン５が配設されている。
ここに、各水平フィン５がリテーナ２の各側壁４に回動軸を介して回動可能に支持されている構成、及び、各水平フィン５がリンク機構（図示せず）により一体に回動される構成については、公知であるのでその説明を省略する。
【００２７】
各水平フィン５の後方（空気流の上流側：図２、図４参照）には、リテーナ２にて左右方向に回動可能に支持された複数個（図１、図４では７個）の垂直フィン６が設けられている。図１３乃至図１５に示すように、各垂直フィン６における支持軸６Ａは、筒状リテーナ２の上壁７及び下壁８に回動可能に支持されている。また、各垂直フィン６にて支持軸６Ａに隣接して形成された補助支持軸６Ｂには、リンク板９が回動可能に配置されており、かかるリンク板９を介して各垂直フィン６は、上壁７及び下壁８間で一体に回動される。
【００２８】
前記した複数個の水平フィン５の内、上下方向に中央の水平フィン５（特定水平フィン５）には、図１、図２、図４に示すように、操作ノブ１０が水平フィン５に沿ってスライド可能に取り付けられている。かかる操作ノブ１０の後端部は、後述するように、複数個の垂直フィン６の内、左右方向に中央の垂直フィン６（特定垂直フィン６）に駆動連結されている。
【００２９】
具体的に、特定垂直フィン６には、図１３乃至図１５に示すように、その上下方向の略中央よりも若干上側に切欠部１１が形成されている。かかる切欠部１１の上部には上側板状部１２が設けられ、また、切欠部１１の下部には下側板状部１３が設けられている。更に、図１３乃至図１５に示すように、切欠部１１における操作ノブ１０側で上側板状部１２と下側板状部１３とを上下に連結する軸部１４が形成されている。
【００３０】
また、特定水平フィン５にスライド可能に取り付けられた操作ノブ１０において、その後端部１５の左右両側には、図４乃至図６に示すように、回動支持部１６、１６が設けられており、各回動支持部１６の間には、二股状足部材１７が回動可能に支持されている。
【００３１】
具体的に、二股状足部材１７には、図８、図９に示すように、回動軸１８が設けられており、かかる回動軸１８により２つの足部１９が直角方向に一体に連結されている。回動軸１８の両側はそれぞれ操作ノブ１０の回動支持部１６、１６に回動可能に支持されている。これにより、二股状足部材１７は、操作ノブ１０に対して回動可能に取り付けられる。
【００３２】
二股状足部材１７における各足部１９の先端２０は、図１０、図１１に示すように、湾曲状小突起形状に形成されており、各先端２０には、軟質材料（各種エラストマー）から形成されたキャップ状の軟質部材２１（図１２参照）が装着される。
【００３３】
前記のように構成されたレジスタ１において、操作ノブ１０を操作してレジスタ１から吹出される空気の風向を変化させる操作について図１３乃至図１５に基づき説明する。
先ず、図１３に示す状態においては、操作ノブ１０は略水平状態に保持されている。この状態においては、二股状足部材１７の各足部１９は、特定垂直フィン６の切欠部１１内で浮いた状態にあり、上側板状部１２及び下側板状部１３のいずれとも当接されていない。図１３に示す状態から操作ノブ１０を下方向に回動させると、操作ノブ１０が取り付けられている特定水平フィン５が下方向に回動することに伴って同時に残りの２つの水平フィン５も下方向に可回動する。この状態が図１４に示されている。
【００３４】
このとき、操作ノブ１０の回動支持部１６、１６は上方に移動され、これに伴い回動軸１８を介して回動支持部１６、１６に回動可能に支持された二股状足部材１７は、下方向に回動される。この結果、二股状足部材１７における足部１９の先端２０に装着されたキャップ状軟質部材２１は、特定垂直フィン６の切欠部１１にて下側に形成された下側板状部１３に当接される。このように、二股状足部材１７の足部１９は、操作ノブ１０の下方向への回動操作時に、軟質部材２１を介して下側板状部１３に当接されるように構成しているものの、水平フィン５に取り付けられた操作ノブ１０を下方向に操作する際に、操作ノブ１０の後端部１５に対して回動可能に取り付けられた二股状足部材１７の足部１９、１９が垂直フィン６に形成された切欠部１１の下側板状部１３に当接される場合においても、足部１９、１９は常時下側板状部１３に当接されておらず、従って、足部１９、１９と下側板状部１３との間で摩擦力が発生することはないので、操作ノブ１０を軽い良好な操作性をもって操作することができる。
また、二股状足部材１７における各足部１９の先端２０には、軟質部材２１が設けられており、これより、軟質部材２１の消音効果に基づき、下側板状部１３に対して足部１９、１９が当接することに起因して異音が発生することを確実に防止することができる。
【００３５】
また、図１３に示す状態から操作ノブ１０を上方向に回動させると、操作ノブ１０が取り付けられている特定水平フィン５が上方向に回動することに伴って同時に残りの２つの水平フィン５も上方向に回動する。この状態が図１５に示されている。
このとき、操作ノブ１０の回動支持部１６、１６は下方に移動され、これに伴い回動軸１８を介して回動支持部１６、１６に回動可能に支持された二股状足部材１７は、上方向に回動される。この結果、二股状足部材１７における足部１９の先端２１に装着されたキャップ状軟質部材２１は、特定垂直フィン６の切欠部１１にて上側に形成された上側板状部１２に当接される。このように、二股状足部材１７は、操作ノブ１０の上方向への回動操作時に、軟質部材２１を介して上側板状部１２に当接されるように構成しているものの、水平フィン５に取り付けられた操作ノブ１０を上方向に操作する際に、操作ノブ１０の後端部１５に対して回動可能に取り付けられた足部１９、１９が垂直フィン６に形成された切欠部１１の上側板状部１２に当接される場合においても、足部１９、１９は常時上側板状部１２に当接されておらず、従って、足部１９、１９と上側板状部１２との間で摩擦力が発生することはないので、操作ノブ１０を軽い良好な操作性をもって操作することができる。
また、二股状足部材１７における各足部１９の先端２０には、軟質部材２１が設けられており、これにより、軟質部材２１の消音効果に基づき、上側板状部１２に対して足部１９、１９が当接することに起因して異音が発生することを確実に防止することができる。
【００３６】
このように、操作ノブ１０を上下方向に回動操作して特定水平フィン５を含む全ての水平フィン５を上下方向に回動させることにより、リテーナ２の前端に取り付けたベゼル３の吹出開口３Ａから吹き出される空気の吹出方向が上下方向に調整される。
【００３７】
尚、操作ノブ１０を左右方向にスライド操作して特定垂直フィン６を含む全ての垂直フィン６を左右方向に回動させることにより、リテーナ２の前端に取り付けたベゼル３の吹出開口３Ａから吹き出される空気の吹出方向が左右方向に調整される。
【００３８】
続いて、第２実施形態に係るレジスタについて説明する。第２実施形態に係るレジスタは、基本的に前記第１実施形態に係るレジスタ１と同一の構成を有しており、二股状足部材の構成についてのみ第１実施形態に係るレジスタ１と異なっている。従って、以下においては、第１実施形態に係るレジスタ１に使用される構成部材と同一の構成部材については同一の番号を付して説明するものとし、また、第１実施形態に係るレジスタ１に使用される二股状足部材１７と異なる第２実施形態に係るレジスタに使用される二股状足部材の構成に主眼を置いて説明することとする。
【００３９】
第２実施形態に係るレジスタ１に使用される二股状足部材について図１６乃至図２３に基づいて説明する。
特定水平フィン５にスライド可能に取り付けられた操作ノブ１０において、その後端部１５の左右両側には、図１６、図１７に示すように、回動支持部１６、１６が設けられており、各回動支持部１６の間には、二股状足部材３０が回動可能に支持されている。
【００４０】
具体的に、二股状足部材３０には、図１９、図２０に示すように、回動軸３１が設けられており、かかる回動軸３１により２つの足部３２が直角方向に一体に連結されている。回動軸３１の両側はそれぞれ操作ノブ１０の回動支持部１６、１６に回動可能に支持されている。これにより、二股状足部材３０は、操作ノブ１０に対して回動可能に取り付けられる。
【００４１】
二股状足部材３０における各足部３２の先端３３は、図２０、図２１に示すように、湾曲状小突起形状に形成されており、各先端３３には、軟質材料（各種エラストマー）から形成されたキャップ状の軟質部材３４（図２３参照）が装着される。
ここに、図２３に示すように、軟質部材３４には、操作ノブ１０の上下方向への回動操作時に、上側板状部１２又は下側板状部１３に当接される半球状部３５が形成されている。従って、二股状足部材３０が上側板状部１２や下側板状部１３に対して当接する際には、軟質部材３４の半球状部３５を介して当接することとなり、このとき、半球状部３５は消音効果を発現することから、更に異音が発生することを確実に防止することができる。
【００４２】
続いて、第３実施形態に係るレジスタについて説明する。第３実施形態に係るレジスタは、基本的に前記第１実施形態に係るレジスタ１と同一の構成を有しており、二股状足部材の構成についてのみ第１実施形態に係るレジスタ１と異なっている。従って、以下においては、第１実施形態に係るレジスタ１に使用される構成部材と同一の構成部材については同一の番号を付して説明するものとし、また、第１実施形態に係るレジスタ１に使用される二股状足部材１７と異なる第３実施形態に係るレジスタに使用される二股状足部材の構成に主眼を置いて説明することとする。
【００４３】
第３実施形態に係るレジスタ１に使用される二股状足部材について図２４乃至図３１に基づいて説明する。
特定水平フィン５にスライド可能に取り付けられた操作ノブ１０において、その後端部１５の左右両側には、図２４、図２５に示すように、回動支持部１６、１６が設けられており、各回動支持部１６の間には、二股状足部材４０が回動可能に支持されている。
【００４４】
具体的に、二股状足部材４０には、図２７、図２８に示すように、回動軸４１が設けられており、かかる回動軸４１により２つの足部４２が直角方向に一体に連結されている。回動軸４１の両側はそれぞれ操作ノブ１０の回動支持部１６、１６に回動可能に支持されている。これにより、二股状足部材４０は、操作ノブ１０に対して回動可能に取り付けられる。
【００４５】
二股状足部材４０における各足部４２の先端には、図２９、図３０に示すように、接続突部４３が形成されており、それぞれ接続端部４４を構成している。各接続端部４４には、図３１に示す接続部材４５が挿嵌される。接続部材４５は、軟質材料から形成されており、接続端部４４の接続突部４３が挿嵌される溝部４６が形成された挿嵌部４７、挿嵌部４７から連続された撓み可能な軸部４８、及び、軸部４８の先端に設けられた球状部４９が一体に形成されてなる。
【００４６】
ここに、図３１に示すように、接続部材４５には、操作ノブ１０の上下方向への回動操作時に、上側板状部１２又は下側板状部１３に当接される球状部４９が形成されている。従って、二股状足部材４０が上側板状部１２や下側板状部１３に対して当接する際には、接続部材４５の球状部４９を介して当接することとなり、このとき、球状部４９は、軸部４８が撓み変形可能であることとも相まって、消音効果を発現することから、更に異音が発生することを確実に防止することができる。
【００４７】
このように、操作ノブ１０の後端部１５に回動可能に取り付けられ、操作ノブ１０の後端部１５から特定垂直フィン６側に向かって延出されるとともに軸部１４が挿嵌される二股状足部材４０と、二股状足部材４０のそれぞれの端部に形成された接続端部４４と、各接続端部４４に挿嵌接続されるとともに軟質材料から形成され、先端に球状部４９が設けられた接続部材４５とを備え、接続部材４５は、操作ノブ１０の上下方向への回動操作時に、球状部４９を介して上側板状部１２又は下側板状部１３に当接されるように構成しているものの、水平フィン５に取り付けられた操作ノブ１０を上下方向に操作する際に、操作ノブ１０の後端部１５に対して回動可能に取り付けられた二股状足部材４０が垂直フィン６に形成された切欠部１１の上側板状部１２又は下側板状部１３に当接される場合においても、接続部材４５は常時上側板状部又は下側板状部に当接されておらず、従って、二股状足部材４０と上側板状部１２又は下側板状部１３との間で摩擦力が発生することはないので、操作ノブ１０を軽い良好な操作性をもって操作することができる。
また、二股状足部材４０における先端のそれぞれの端部に接続端部４４を形成するとともに、各接続端部４４に挿嵌接続されるとともに軟質材料から形成され、先端に球状部４９が設けられた接続部材４５とを備え、接続部材４５は、操作ノブ１０の上下方向への回動操作時に、球状部４９を介して上側板状部１２又は下側板状部１３に当接されるので、球状部４９の消音効果に基づき、上側板状部１２や下側板状部１３に対し二股状足部材４０が当接することに起因して異音が発生することを確実に防止することができる。
【００４８】
尚、本考案は前記した第１実施形態乃至第３実施形態に限定されるものではなく、本考案の要旨を逸脱しない範囲内で種々の改良、変形が可能であることは勿論である。
【００４９】
例えば、前記した第１実施形態及び第２実施形態に係るレジスタ１においては、二股状足部材１７、３０ととキャップ状軟質部材２１、３４をそれぞれ別に形成しておき、レジスタ１を構成する際に二股状足部材１７、３０の先端２０、３３にキャップ状軟質部材２１、３４を装着する構成とし、また、第３実施形態に係るレジスタ１においては、二股状足部材４０と接続部材とをそれぞれ別に形成しておき、レジスタ１を構成する際に二股状足部材４０の接続端部４４に接続部材４５を装着する構成としたが、これに限らず次のように構成してもよい。
【００５０】
第１実施形態及び第２実施形態に係るレジスタ１において、先ず、二股状足部材１７、３０を硬質樹脂で一次成形し、続いて、軟質部材２１、３４を二股状足部材１７、３０の先端に軟質樹脂で二次形成する、所謂二色成形により二股状足部材１７、３０と軟質部材２１、３４とを成形するようにしてもよい。
【００５１】
また、第３実施形態に係るレジスタ１において、同様に、先ず二股状足部材４０の各足部４２における接続端部４４を硬質樹脂で一次成形し、続いて各接続端部４４に対して接続部材４５を軟質樹脂で二次形成する、所謂二色成形により二股状足部材４０と接続部材４５とを成形するようにしてもよい。
【符号の説明】
【００５２】
１      レジスタ
２      リテーナ
３      ベゼル
５      水平フィン
６      垂直フィン
１０    操作ノブ
１１    切欠部
１２    上側板状部
１３    下側板状部
１４    軸部
１５    後端部
１６    回動支持部
１７    二股状足部材
１８    回動軸
１９    足部
２０    先端
２１    キャップ状軟質部材
３０    二股状足部材
３１    回動軸
３２    足部
３３    先端
３４    キャップ状軟質部材
３５    半球状部
４０    二股状足部材
４１    回動軸
４２    足部
４４    接続端部
４５    接続部材
４９    球状部
【図１】
0003200300.tif 000003
【図２】
0003200300.tif 000004
【図３】
0003200300.tif 000005
【図４】
0003200300.tif 000006
【図５】
0003200300.tif 000007
【図６】
0003200300.tif 000008
【図７】
0003200300.tif 000009
【図８】
0003200300.tif 000010
【図９】
0003200300.tif 000011
【図１０】
0003200300.tif 000012
【図１１】
0003200300.tif 000013
【図１２】
0003200300.tif 000014
【図１３】
0003200300.tif 000015
【図１４】
0003200300.tif 000016
【図１５】
0003200300.tif 000017
【図１６】
0003200300.tif 000018
【図１７】
0003200300.tif 000019
【図１８】
0003200300.tif 000020
【図１９】
0003200300.tif 000021
【図２０】
0003200300.tif 000022
【図２１】
0003200300.tif 000023
【図２２】
0003200300.tif 000024
【図２３】
0003200300.tif 000025
【図２４】
0003200300.tif 000026
【図２５】
0003200300.tif 000027
【図２６】
0003200300.tif 000028
【図２７】
0003200300.tif 000029
【図２８】
0003200300.tif 000030
【図２９】
0003200300.tif 000031
【図３０】
0003200300.tif 000032
【図３１】
0003200300.tif 000033